(57)【要約】  医療用装置を収容するための封筒体は、縁部に沿って相互に連結されて、パッケージ内に密封されている医療用装置を収容するように寸法設定及び成形された内部空間を画定する第１のパネル及び第２のパネルを含む本体と、第１のパネルに沿って本体の周りに延びて、封筒体を開封するために本体の残りの部分から離脱可能な破断部を画定する穿孔を含む第１の開封構成と、本体の一部から延出するタブを備える第２の開封構成であって、タブを本体から離れる方向に引っ張ることで、第１のパネルに沿って延びる穿孔の一部を裂いて、封筒体を開封する、第２の開封構成と、を備える。
2014529548.tif 000002
【特許請求の範囲】
【請求項１】
医療用装置を収容するための封筒体であって、
第１の縁部に沿って相互に連結されて、パッケージ内に密封されている医療用装置を収容するように寸法設定及び成形された内部空間を画定する第１のパネル及び第２のパネルを含む本体と、
前記第１のパネルに沿って前記本体の周りに延びて、前記封筒体を開封するために前記本体の残りの部分から離脱可能な破断部を画定する穿孔を含む第１の開封構成と、
前記本体の一部から延出するタブを含む第２の開封構成であって、それにより、前記タブを前記本体から離れる方向に引っ張ることで、前記封筒体を開封する、第２の開封構成と、を備える、封筒体。
【請求項２】
前記第１のパネルを貫通して延びる窓を更に備える、請求項１に記載の封筒体。
【請求項３】
前記窓が、該窓を横断して延在する透明フィルムによって覆われる、請求項２に記載の封筒体。
【請求項４】
前記窓が、前記封筒体内に収容されているパッケージのトレイ部を、前記窓を介して収容するように寸法設定及び成形される、請求項３に記載の封筒体。
【請求項５】
前記タブの一部が、前記窓の一部と重なる、請求項３に記載の封筒体。
【請求項６】
前記タブが、該タブをつかむのを助ける凹状溝を含む、請求項５に記載の封筒体。
【請求項７】
前記第１の開封構成が、前記第１及び第２のパネルにわたって延在する、請求項１に記載の封筒体。
【請求項８】
前記第１のパネルに沿って延びる前記穿孔の第１の部分が、前記窓から前記本体の前記第１の縁部まで延びる、請求項２に記載の封筒体。
【請求項９】
前記タブが、前記タブが前記第１のパネルに連結されるように、前記第１及び第２のパネルに沿ってかつ前記縁部の一部を越えて延びる切れ目によって画定され、前記タブを引っ張ることで、前記第１のパネルに沿って延びる前記穿孔の一部を裂いて、前記封筒体を開封する、請求項１に記載の封筒体。
【請求項１０】
前記タブを引っ張ることで前記封筒体にきれいな開口部を形成するように、前記穿孔から前記縁部の一部に沿って延びるスリットを更に備える、請求項１に記載の封筒体。
【請求項１１】
前記本体が矩形である、請求項１に記載の封筒体。
【請求項１２】
前記第１のパネル又は前記第２のパネルの一方に沿って前記本体内の中心に延び、押しつぶすことによって破断可能な部分を画定する穿孔を含む第３の開封構成を更に備える、請求項１に記載の封筒体。
【請求項１３】
前記第３の開封構成の前記穿孔にわたって前記本体を閉じるように配設可能なラベルを更に備える、請求項１２に記載の封筒体。
【請求項１４】
前記穿孔が、前記本体内に延びる単一の細長いスリットとして形成される、請求項１２に記載の封筒体。
【請求項１５】
前記細長いスリットが、前記本体を貫通して延び、かつ前記細長いスリットと交差する複数の穿孔を含む、請求項１４に記載の封筒体。
【請求項１６】
前記本体が、第２の縁部に沿って前記第１のパネルに連結されて、前記パッケージ内に密封されている前記医療用装置を収容するように寸法設定及び成形された前記内部空間を画定する第３のパネルを含む、請求項８に記載の封筒体。
【請求項１７】
前記第１のパネルに沿って延びる前記穿孔の第２の部分が、前記窓から前記本体の前記第２の縁部まで延びる、請求項１６に記載の封筒体。
【請求項１８】
前記タブが、前記第１のパネルから延出し、かつ前記第３のパネルに取り付けられる、請求項１６に記載の封筒体。
【請求項１９】
前記タブが、前記第１のパネルに連結される第１のタブ部分と、前記第２のパネルに連結される第２のタブ部分とを含み、前記第１及び第２のタブ部分が、実質的に弓状の形状を有し、かつ互いに折り重なるように折り畳まれて、前記第２及び第３のパネルから前記第１のパネルを遠ざける、請求項１８に記載の封筒体。
【請求項２０】
医療用装置用の包装体システムであって、
前記医療用装置が使用の準備ができるまで無菌状態で維持されるように、前記医療用装置を収容する密封パッケージと、
縁部に沿って相互に連結されて、内部に前記密封パッケージを収容するように寸法設定及び成形された内部空間を画定する第１及び第２のパネルを備える封筒体であって、第１の開封構成と第２の開封構成とを備え、前記第１の開封構成は、前記第１及び第２のパネルに沿って前記封筒体の周りに延びて、前記封筒体を開封するために前記封筒体の残りの部分から離脱可能な破断部を画定する穿孔を含み、前記第２の開封構成はそれに沿って延びるタブを含み、それによって、前記タブを前記封筒体から離れる方向に引っ張ることによって、前記第１のパネルに沿って延びる前記穿孔の一部を裂いて、前記封筒体を開封する、封筒体と、を備える、包装体システム。
【発明の詳細な説明】
【技術分野】
【０００１】
（関連出願の相互参照）
本願は、２０１１年８月５日に出願された、「Ｐａｃｋａｇｉｎｇ  ｆｏｒ  Ｍｅｄｉｃａｌ  Ｄｅｖｉｃｅｓ」と題された米国仮特許出願第６１／５１５，６４３号への優先権を主張し、当該特許文献は参照によりその全開示が本明細書に組み込まれる。
【背景技術】
【０００２】
医療用装置は、その装置が使用の準備ができるまで無菌状態で維持されるように包装及び密封されなければならない。医療用装置のための現在の包装体は、その縁部に沿って延びる切り取り部分を含む。しかしながら、これら切り取り部分は、位置決め及び利用が難しい場合がある。切り取り部分が容易に特定可能である場合でも、切り取り部分を用いて包装体を開封するのは、包装体の内容物が開封を妨害することにより困難な場合がある。
【発明の概要】
【課題を解決するための手段】
【０００３】
本発明は、医療用装置を収容するための封筒体を目的とし、その封筒体は、縁部に沿って相互に連結されて、パッケージ内に密封されている医療用装置を収容するように寸法設定及び成形された内部空間を画定する第１のパネル及び第２のパネルを含む本体と、第１及び第２のパネルに沿って本体の周りに延びて、封筒体を開封するために本体の残りの部分から離脱可能な破断部を画定する穿孔を含む第１の開封構成と、本体の一部から延出するタブを含む第２の開封構成であって、それにより、タブを本体から離れる方向に引っ張ることで、第１のパネルに沿って延びる穿孔の一部を裂いて、封筒体を開封する、第２の開封構成と、を備える。
【図面の簡単な説明】
【０００４】
【図１】本発明の例示的な実施形態による包装体の平面図を示す。
【図２】図１による包装体の底面図を示す。
【図３】図１による包装体の側面図を示す。
【図４】ユーザーによってつかまれている図１の包装体のプルタブの斜視図を示す。
【図５】引き離しタブによって開封されている図１の包装体の斜視図を示す。
【図６】本発明の別の例示的な実施形態による包装体の平面図を示す。
【図７】図６の包装体の底面図を示す。
【図８】閉じた形態の図６の包装体の一部の拡大平面図を示す。
【図９】開いた形態の図６の包装体の一部の拡大平面図を示す。
【図１０】本発明の更に別の例示的な実施形態による包装体の平面図を示す。
【図１１】図１０の包装体の側面図を示す。
【図１２】本発明の尚更なる例示的な実施形態による包装体の平面図を示す。
【図１３】非組立形態の本発明の別の例示的な実施形態による包装体の平面図を示す。
【図１４】非組立形態の本発明の別の例示的な実施形態による包装体の平面図を示す。
【図１５】非組立形態の本発明の別の例示的な実施形態による包装体の平面図を示す。
【図１６】非組立形態の本発明の別の例示的な実施形態による包装体の拡大平面図を示す。
【発明を実施するための形態】
【０００５】
本発明は、以下の記述及び添付図面を参照して一層良く理解されるものであり、図中、同一要素は同一参照要素によって示される。本発明は、包装体、特に、医療用装置のための包装体に関する。本発明の例示的な実施形態は、パッケージ内に密封された医療用装置を収容するように構成され、かつ、２つの開封構成である、切り離しタブと破断部とを有する封筒体を目的とし、ユーザーはその２つの開封構成を容易に特定可能であり、またユーザーがどちらの開封構成を利用するかを選択することができる。
【０００６】
図１〜図３に示されるように、本発明の例示的な実施形態による包装体１００は、例えば、骨プレート及び／又は骨固定要素などの医療用装置を収容するように寸法設定及び成形された封筒体１０２を含み、医療用装置は、その装置が使用前に無菌状態で維持されるようにパッケージ１０４内に密封される。封筒体１０２は、実質的に平らで同じ大きさ及び形状の第１のパネル１０６及び第２のパネル１０８から形成されてもよく、これらパネルは、それらの縁部１１０に沿って互いに連結される。封筒体１０２はまた、パッケージ１０４及びその内容物が視認可能であるように、第１のパネル１０６を貫通して延びる窓１１６を備えていてもよい。封筒体１０２は、縁部１１０を越えて延びるプルタブ１１２、又は縁部１１０の一部に沿って延びる易破断部１１４によって開封され得る。したがって、ユーザーは、パッケージ１０４及びその中に密封されている装置にアクセスするために封筒体１０２を開封する際、プルタブ１１２を利用するか、あるいは易破断部１１４を利用するかを選択することができる。封筒体１０２は、パッケージ１０４内に密封されている装置の出荷及び保管を容易にすること、また、装置を特定する情報をその上に有してもよいことを、当業者は理解するであろう。
【０００７】
例示的な実施形態では、矩形の第１のパネル１０６及び第２のパネル１０８が、それらの周囲に延びている４つの実質的に真っ直ぐな縁部１１０ａ、１１０ｂ、１１０ｃ、１１０ｄを介して連結されるように、封筒体１０２は実質的に矩形であってもよい。例示的な一実施形態では、封筒体１０２は、縁部１１０ａ〜１１０ｄのそれぞれに沿って連結されて閉鎖されることができる。別の例示的な実施形態では、第１のパネル１０６及び第２のパネル１０８は、第４の縁部１１０ｄが開くように、３つの縁部１１０ａ、１１０ｂ、１１０ｃに沿って連結されてもよい。開いた状態の第４の縁部１１０ｄは、内部に収容されている装置を特定する製品のステッカー又はラベルによって密封されてもよい。しかしながら、封筒体１０２は、第１のパネル１０６及び第２のパネル１０８によって画定される内部空間が、内部に密封されたパッケージ１０４を収容するように寸法設定及び成形されている限り、任意の種々の寸法及び形状を有することができることを、当業者は理解するであろう。
【０００８】
パッケージ１０４は、内部に密封されている装置が視認可能であるように、透明な材料から形成されてもよい。パッケージ１０４は、例えば、封筒体１０２内に完全に収容されることができる、実質的に平らな密封パウチ（図示せず）であってもよい。別の例では、パッケージ１０４は、トレイ部１１８と、そのトレイ部１１８の周囲に延びているリム部１２０とを備えた密封トレイであってもよく、それにより、リム部１２０は封筒体１０２の内部空間内に収容される一方で、トレイ部１１８は、内部空間から窓１１６を通って封筒体１０２の外側まで延出する。
【０００９】
封筒体１０２の第１のパネル１０６は、窓１１６を備えており、この窓１１６は、内部に収容された装置の少なくとも一部が視認可能であるように寸法設定及び成形され得る。密封パッケージ１０４がパウチである例示的な実施形態では、窓１１６は、窓１１６を横断して延在して窓１１６を覆うと同時に、封筒体１０２の内容物及び／又はパッケージ１０４を視認可能にする透明フィルムを有し得る。パッケージ１０４がトレイである別の例示的な実施形態では、窓１１６は、そこを通るトレイ部１１８を収容するように寸法設定及び成形されてもよい。例えば、窓１１６は、トレイ部１１８の寸法及び形状に対応している多角形であってもよい。
【００１０】
封筒体１０２は、縁部１１０の一部に近接して封筒体１０２の周りに延び、破断部１１４を画定する、穿孔１２２を備えている。封筒体１０２が実質的に矩形である例示的な実施形態では、穿孔１２２は、第１の縁部１１０ａに近接して封筒体１０２の周りに延びる。穿孔１２２は、窓１１６の第１の角部１２６から、第１の縁部１１０ａに隣接した第２の縁部１１０ｂまで、第１のパネル１０６に沿って延びる第１の部分１２４と、窓１１６の第２の角部１３０から、同様に第１の縁部１１０ａに隣接した第３の縁部１１０ｃまで、第１のパネル１０６に沿って延びる第２の部分１２８と、を含む。穿孔１２２の第３の部分１３２は、第２のパネル１０８に沿って延びて、第１の部分１２４と第２の部分１２８とを連結する。したがって、ユーザーは、封筒体１０２を開封して、その中に収容されているパッケージ１０４にアクセスするために、破断部１１４を把持して、破断部１１４を封筒体１０２の残りの部分から、穿孔１２２の全長を介して破断することができる。
【００１１】
ユーザーはまた、プルタブ１１２を用いて封筒体１０２を開封してもよい。このタブ１１２は、封筒体１０２の破断部１１４に沿って延びる切れ目１３４によって画定され得る。この切れ目１３４は、第１のパネル１０６に取り付けられたままの状態で、第２のパネル１０８から離れる方向にタブ１１２を持ち上げることができるように、第１のパネル１０６から、第１の縁部１１０ａを越えて、第２のパネル１０８まで延びる。したがって、封筒体１０２は、封筒体１０２が穿孔１２２の第１の部分１２４及び第２の部分１２８に沿って裂けるように、図４に示されているようにタブ１１２をつかみ、図５に示されているようにタブ１１２を封筒体１０２から離れる方向に引っ張ることで、開封されることができる。封筒体１０２は、穿孔１２２から、第２の縁部１１０ｂ及び第３の縁部１１０ｃに沿って、第１の縁部１１０ａの角部１４０、１４２まで延びるスリット１４８を更に備えていてもよく、それにより、封筒体１０２を開封するためにタブ１１２が引っ張られると、パッケージ１０４をそこから容易に取り出せるようにするきれいな開口部が、縁部１１０ａ近くに形成される。タブ１１２はまた、タブ１１２を特定する活字を、タブ１１２に沿って含んでもよい。
【００１２】
封筒体１０２は、折り畳まれたときに封筒体１０２が上述のように構成されるように寸法設定及び成形されている、１枚のボール紙又は厚紙素材から作製されてもよい。材料が縁部１１０ａ、１１０ｂ、１１０ｃ、１１０ｄに沿って折り畳まれて第１のパネル１０６及び第２のパネル１０８を画定するように、材料は、窓１１６と、窓１１６に沿って形成される穿孔１２２とを含んで製造されてもよい。したがって、材料の第１のパネル１０６に対応する部分に沿ってパッケージ１０４を置き、材料の残りの部分をその上に折り重ねることによって、パッケージ１０４を封筒体１０２内に容易に詰めることができる。封筒体１０２を閉じて、パッケージ１０４をその中に保持するために、材料の重なり部に接着剤を塗布してもよい。
【００１３】
本発明による包装体はまた、上述の２つの開封構成の一方を利用することができることを当業者は理解するであろう。例えば、図６〜図９に示されるように、本発明の別の例示的な実施形態による包装体２００は、上述の包装体１００と実質的に同様であってもよく、パッケージ２０４内に密封される装置２０３を収容する封筒体２０２を含んでいてもよい。しかしながら、封筒体２０２は、封筒体２０２を開封するためのプルタブ２１２を１つだけ備えている。
【００１４】
封筒体２０２は、封筒体１０２と同様に、縁部２１０に沿って相互に連結される、実質的に平らな第１のパネル２０６及び第２のパネル２０８から形成され得る。封筒体２０２はまた、パッケージ２０４及び／又は装置２０３が視認可能であるように、第１のパネル２０６を貫通して形成される窓２１６を備えている。封筒体２０２はまた、窓２１６を覆うと同時に、封筒体２０２の内容物を視認可能にする、窓２１６を横断して延在する透明フィルム２３６を有し得る。パッケージ２０４は、例えば、装置２０３もまた視認可能であるように、装置２０３を内部に密封する、実質的に平らで透明なパウチであってもよい。
【００１５】
図８に示されるように、タブ２１２は、タブ２１２がユーザーによって容易に特定可能であるように、第１のパネル２０６から窓２１６の一部の上に延びる。タブ２１２は、タブ２１２が可撓性であり、かつユーザーがタブ２１２を容易に把持することができるように、タブ２１２に沿って延びる複数の溝２３８を含み得る。封筒体２０２は、タブ２１２の第１の側から縁部２１０向かって、第１のパネル２０６に沿って延びる第１の穿孔２２４と、タブ２１２の第２の側から縁部２１０向かって、第１のパネル２０６に沿って延びる第２の穿孔２２８とを更に含み、それにより、ユーザーがタブ２１２を把持して引っ張ると、第１のパネル２０６は第１の穿孔２２４及び第２の穿孔２２８に沿って裂け、封筒体２０２が開封される。封筒体２０２が矩形である例示的な実施形態では、第１の穿孔２２４及び第２の穿孔２２８は、タブ２１２を第１の縁部２１０ａに向かって引っ張ることで封筒体２０２が第１の縁部２１０ａに沿って開くように、第１の縁部２１０ａに向かって延びていてもよい。更なる例示的な実施形態では、第１の穿孔２２４及び第２の穿孔２２８は、第１の縁部２１０ａの末端部を形成する角部２４０、２４２に向かって延びてもよい。タブ２１２を引っ張ることで第１の穿孔２２４及び第２の穿孔２２８が裂け、封筒体２０２が開封される限り、第１の穿孔２２４及び第２の穿孔２２８は、様々な構成で第１のパネル２０６に沿って延びていてもよいことを当業者は理解するであろう。穿孔２２４、２２８が角部２４０、２４２に向かって延びていない場合には、きれいな開口部及びその開口部からのパッケージ２０４の容易な取り出しを確実にするために、封筒体２０２はまた、第１の穿孔２２４及び第２の穿孔２２８から、角部２４０、２４２に向かって、第１の縁部２１０ａに沿って延びるスリットを備えていてもよい。
【００１６】
タブ２１２が引っ張られて、第１の穿孔２２４及び第２の穿孔２２８が裂かれると、図９に示されるように、パッケージ２０４の末端部２４４をつかんで、封筒体２０２から取り出すことができるように、第１の縁部２１０ａにおいて開口部が形成される。末端部２４４は、パッケージ２０４の末端部２４４をつかんで引っ張るのを容易にするために、窓２１４を覆っている透明フィルム２３８の末端部２４６を越えて、フィルム２３８の第１の末端部２４６と、第１の縁部２１０ａとの間に延びていてもよい。
【００１７】
図１０〜図１１に示されるように、本発明の別の例示的な実施形態による包装体３００は、包装体１００、２００と実質的に同様であってもよく、その中に収容されている密封パッケージ３０４にアクセスするために、プルタブ３１２を介して開封されることができる封筒体３０２を含んでいてもよい。封筒体２０２と同様に、封筒体３０２は、その縁部３１０に沿って相互に連結される、実質的に平らな２つのパネル３０６、３０８から形成されている。パッケージ３０４は、パッケージ１０４に関連して上述されたトレイと実質的に同様であってもよく、リム３２０が封筒体３０２の内部空間内に収容される一方で、トレイ部３１８が、第１のパネル３０６に沿って形成された窓３１４を通って内部空間から延出するように、トレイ部３１８と、トレイ部３１８の周囲に延びているリム３２０とを備えていてもよい。ユーザーがタブ３１２を容易に特定して把持することができるように、プルタブ３１２は、第１のパネル３０６から窓３１４の上に延びている。
【００１８】
封筒体３０２は、封筒体２０２と実質的に同様であり、タブ３１２の第１の側の第１のパネル３０６に沿って、第１の縁部３１０ａに向かって延びる第１の穿孔３２４と、タブ３１２の第２の側の第１のパネル３０６に沿って、第１の縁部３１０ａに向かって延びる第２の穿孔３２８とを備えている。タブ３１２は、トレイ部３１８が窓３１４を通って延出している場合、第１のパネル３０６に実質的に垂直であるトレイ部３１８に隣接してタブ３１２が延びるように、第１のパネル３０６から窓３１４の上に延びている。封筒体３０２はまた、開口部が確実にきれいになるように、角部３４０、３４２から、第１の穿孔３２４及び第２の穿孔３２８に向かってそれぞれ延びるスリット３４８を備えていてもよい。タブ３１２を第１の縁部３１０ａに向かって引っ張り、第１のパネル３０６を第１の穿孔３２４及び第２の穿孔３２８に沿って裂いて、封筒体３０２を開封してそこからパッケージ３０４を取り出すことができる。
【００１９】
図１２に示されるように、本発明の別の例示的な実施形態による包装体４００は、包装体１００、２００、３００と実質的に同様であり得る。しかしながら、包装体４００は、穿孔４５０を更に備える封筒体４０２を含んでいる。穿孔４５０は、第１のパネル４０６に沿って、縁部４１０ｄから、窓４１６の中心点４５１まで延びていてもよい。好ましい実施形態では、穿孔４５０は直線に沿うように配置される。穿孔４５０は、中心点４５１から縁部４１０ｄまで、縁部４１０ｂ、４１０ｃに対して等距離となるように配置される。
【００２０】
穿孔４５０は、包装体４００の中へのパッケージ４０４のトレイ部４１８の容易な挿入を可能にする。開始形態では、穿孔４５０は無傷である。トレイ部４１８を挿入するために、縁部４１０ｂ及び４１０ｃを一緒に押しつぶすことによって、穿孔４５０が破断される。この開いた形態で、リム４２０が封筒体４０２内に収容され、かつトレイ部４１８が窓４１６を通って延出するように、パッケージ４０４が封筒体４０２に挿入される。運搬の目的で包装体４００を閉じるために、穿孔４５０によって分離された２つの部分は、開始形態と実質的に同じ形態になるように整えられる。穿孔４５０によって画定された線を横切ってラベル（図示せず）が配置される。ラベルを使用して、２つの分離した部分をおさえ、パッケージ４０４を包装体４００の中に保持する。この閉じた形態で、封筒体４０２を使用して、その中に収容されている医療用装置を輸送することができる。当業者には理解されるように、この挿入を容易にする穿孔は、任意の実施形態１００、２００、３００と共に使用することができる。デバイス４００は、プルタブ１１２と実質的に同様に形成されており、かつ、デバイス１００に関してより詳細に述べたように第１の縁部４１０ａを越えて延びる、プルタブ４１２を更に備えていてもよい。
【００２１】
図１３は、本発明の別の実施形態によるデバイス５００であって、以下に記載した事項以外はデバイス１００、２００、３００と実質的に同様に形成された、デバイス５００を図示している。デバイス５００は、内部に収容されている密封パッケージにアクセスするために、プルタブ５１２を介して開封され得る封筒体５０２を含む。封筒体１０２、２０２、及び３０２は、外縁部３１０に沿って相互に連結された２つの平らなパネルを備えているが、封筒体５０２は、折り畳まれたときに封筒体５０２が上述のように構成されるように寸法設定及び成形されている、１枚のボール紙又は厚紙素材から作製された第１の平らなパネル５０６、第２の平らなパネル５０７、及び第３の平らなパネル５０８から形成されている。具体的には、封筒体５０２は、第１のパネル５０６と第２のパネル５０７との間の折り目５０７ａと、第１のパネル５０６と第３のパネル５０８との間の折り目５０８ａとを有している。動作形態において、パッケージを第１のパネル５０６に沿って置き、第２のパネル５０７及び第３のパネル５０８をその上に折り重ねることによって、パッケージ（図示せず）を封筒体５０２内に容易に詰めることができる。具体的には、第２のパネル５０７は、折り目５０７ａに沿って第１のパネル５０６に向けて折り畳まれることができる。次に、第３のパネル５０８の部分が第２のパネル５０７と重なるように、第３のパネル５０８が折り目５０８ａに沿って折り畳まれることができる。封筒体５０２を閉じて、パッケージ１０４を内部に保持するために、１つ以上の接着剤ストリップ５４０が、第２のパネル５０７と第３のパネル５０８の重なり部分に適用されてもよい。具体的には、接着剤５４０は、第２のパネル５０７上に配置され、かつ折り目５０７ａに対して実質的に平行に延びる２つの細長いストリップ内に適用されてもよい。動作形態において、より詳細に後述されるように、第２のパネル５０７上の接着剤５４０は、第３のパネル５０８の上に折り畳まれると、第３のパネル５０８と固着可能に係合し得る。図１３の実施形態は、２つの細長い接着剤ストリップ５４０を図示しているが、本発明の範囲から逸脱することなく、任意の数及び配置の接着剤ストリップ５４０が、第２のパネル５０７又は第３のパネル５０８のいずれかの上に提供されてもよい。封筒体５０５の外縁部５１０は、互いに重なるように連結されかつ密封され得る。具体的には、封筒体５０２は、組立形態において互いに密封され得る縁部５１０ａ、５１０ｂ、５１０ｃを備えている。
【００２２】
第１のパネルは、その第１のパネルから延出し、かつ第１の縁部５１０ｄ、第２の縁部５１０ｅ、及び第３の縁部５１０ｆを有するタブ５３２を更に備えていてもよい。動作形態において、タブ５３２は、より詳細に後述されるように、折り目５１１に沿って折り畳まれてもよい。例示的な実施形態では、第３のパネル５０８の長さは、第１のパネル５０６の長さと実質的に同じであるので、第３のパネル５０８の縁部５１０ｇは、折り目５１１と一致する。この実施形態による第２のパネル５０７は、第１のパネル５０６及び第３のパネル５０８よりも短い。具体的には、第２のパネル５０７は、第２のパネル５０７が縁部５１０ｈと５１０ｉとを備えるように、切り欠き部部５１７を含んでいる。縁部５１０ｈは、タブ５１０ｆの縁部５１０ｆと一致してもよく、縁部５１０ｉは、線５１１に対して実質的に平行に延びている。当業者には理解されるように、切り欠き部５１７は、組立てられた封筒体５０２の所望の柔軟性を維持するために、タブ５３２が折り畳まれる領域における封筒体５０２の嵩を最小限に抑える。
【００２３】
封筒体５０２はまた、パッケージ（図示せず）及びその内容物が視認可能であるように、第１のパネル５０６を貫通して延びる窓５１６を含み得る。窓５１６は、窓２１６と実質的に同様に形成され、窓５１６を覆うと同時に封筒体５０２の内容物を視認可能にする、窓５１６を横断して延在する透明フィルム５３６を有する。例示的な実施形態では、透明フィルム５３６は、複数の接着剤ストリップ５４２、５４４、５４６、又は任意の他の好適な既知の手段を用いて、第１のパネル５０６に取り付けられることができる。具体的には、透明フィルム５３６の寸法は、窓５１６の寸法よりもわずかに大きいので、透明フィルム５３６を第１のパネル５０６に接着できるようにするために、接着剤ストリップ５４２、５４４、５４６を、フィルム５３６が窓５１６の縁部を越えて延びている重なり領域に設置することが可能となる。具体的には、接着剤ストリップ５４２、５４４は、第１のパネル５０６の外側周辺部にわたって、折り目５０７ａ、５０８ａと実質的に平行に延在していてもよく、また、窓５１６の縁部から、透明フィルム５３６と重なることができるように選択された距離だけ離間していてもよい。別の接着剤ストリップ５４６は、接着剤ストリップ５４２、５４４に対して直角に位置付けられてもよく、また、第１のパネル５０６の縁部５１０ｂと実質的に平行であってもよい。例示的な実施形態では、窓５１６は実質的に矩形であるが、他の形状も本発明の範囲内であると想定される。
【００２４】
プルタブ５１２は、より詳細に上述したように、ユーザーがこのプルタブ５１２をつかむことができるように、窓５１６の一部を越えて延びている。プルタブ５１２は、プルタブ５１２に沿って延在し、かつ溝２３８と実質的に同様に形成されている複数の溝５３８を備えていてもよい。溝５３８は、タブ５１２に付加的な可撓性を与え、ユーザーがこのタブ５１２を把持するのに役立つ。プルタブ５１２は、窓５１６の第１の角部５２６から折り目５１１まで第１のパネル５０６に沿って延びる第１の穿孔５２２、及び窓５１６の第２の角部５３０から折り目５１１まで第１のパネル５０６に沿って延びる第２の穿孔５２８に開口する。第１の穿孔５２２及び第２の穿孔５２８は、第１のパネル５０６を貫通して形成され、かつ窓５１６から折り目５１１に向かって実質的に線形形態で配置されている、複数の弓状の切れ目を含む。しかしながら、別の実施形態では、第１の穿孔５２２及び第２の穿孔５２８は、複数の実質的に線形の切れ目を含む。作動形態において、第２のパネル５０７及び第３のパネル５０８は第１のパネル５０６の上に折り畳まれる。次に、タブ５３２が線５１１を中心として折り畳まれて、第３のパネル５０８の一部と重なり、例えば、接着剤を使用してそのパネルに固定される。具体的には、タブ５３２は、その上に分配され、かつ、第３のパネル５０８の上に折り畳まれたときにこの第３のパネル５０８と固着可能に係合するように構成された、１つ又は２つ以上の接着剤ストリップ５４８を含んでいてもよい。動作中、ユーザーは、タブ５１２を、第１の穿孔５２２及び第２の穿孔５２８に沿って第１のパネル５０６から離れる方向に引っ張る。第１の穿孔５２２及び第２の穿孔５２８が裂けると、パッケージの末端部をつかんでそのパッケージを封筒体５０２から取り出すことができるように、線５１１に隣接して開口部が形成される。あるいは、ユーザーは、プルタブ５１２を使用する代わりに、タブ５３２を第３のパネル５０８から離れる方向に持ち上げて、封筒体５０２の内容物にアクセスすることを選択してもよい。
【００２５】
図１４は、本発明の別の実施形態によるデバイス６００を図示している。デバイス６００は、以下に記載した事項以外は、デバイス４００、５００と実質的に同様に形成されており、折り畳まれたときに封筒体６０２が上述のように構成されるように寸法設定及び成形された１枚のボール紙又は厚紙素材から作製された封筒体６０２を含んでいる。封筒体６００は、折り目６０７ａ、６０８ａにおいて相互に連結される第１のパネル６０６、第２のパネル６０７、及び第３のパネル６０８を備えている。第１のパネル６０６、第２のパネル６０７、及び第３のパネル６０８は、封筒体５０２に関連して上述したのと実質的に同じ方法で、組立形態へと折り畳まれる。具体的には、第２のパネル６０７は、折り目６０７ａを中心として第１のパネル６０６の上に折り畳まれる。次に、第３のパネル６０８が折り目６０８ａを中心として折り畳まれて、第１のパネル６０６及び第２のパネル６０７と重なり、かつ、例えば、接着剤ストリップ５４０と実質的に同様に形成された接着剤ストリップ６４０を使用して、第１のパネル６０６及び第２のパネル６０７に固定される。縁部６１０ａ、６１０ｂ、６１０ｃもまた、より詳細に上述したように、互いに固定されてもよい。
【００２６】
第３のパネル６０８は、縁部６１０ａと反対側の縁部６１０ｇを有する第３のパネルのタブ６１８を更に備えている。弓状の折り目６１９が、第３のパネル６０８と第３のパネルのタブ６１８との間に設けられている。弓状の折り目６１９の湾曲は、第１のパネル６０６の縁部６１０ｄの湾曲に対応している。具体的には、例示的な組立技術に関連して以下でより詳細に記載されるように、第１のパネル６０６の第１のパネルのタブ６３２は、第１のパネル６０６に向かう方向に、内側に向けて折り畳まれる。第１のパネルのタブ６３２の形状及び湾曲により、第２のパネル６０７及び第３のパネル６０８は第１のパネル６０６から離れる方向にたわみ、封筒体６０２内に形成される空洞の寸法が増加する。次に、第３のパネルのタブ６１８が第１のパネルのタブ６３２の上に折り畳まれ、例えば、接着剤ストリップ５４８と実質的に同様に形成された接着剤ストリップ６４８を使用して、第１のパネルのタブ６３２に固定される。当業者には理解されるように、この構成は、パッケージを封筒体６０２から取り出すのに役立つ一方で、輸送中にパッケージ（図示せず）に加わる応力も低減する。第２のパネル６０７は、弓状の折り目６１９の形状に対応している実質的に弓状の縁部６１０ｉを画定する切り欠き部６１７を含んでいてもよく、この切り欠き部６１７は、デバイス５００に関連して詳述したように、プルタブ６１２に隣接する領域における封筒体の嵩を低減する。
【００２７】
第１のパネル６０６は、窓４１６と実質的に同様に形成されおり、実質的に五角形の窓６１６を備えているが、任意の他の形状も本発明の範囲内であると想定される。第１のパネル６０６は、縁部６１０ｂから、窓６１６の中心点６５１まで延びる細長いスリット６５０を更に備えている。このスリット６５０は、穿孔４５０と実質的に同様に形成されているが、複数の穿孔の代わりに単一の細長いスリットを有している。好ましい実施形態では、スリット６５０は、直線に沿うように配置され、かつ折り目６０７ａ、６０８ａから実質的に等距離である。スリット６５０は、例えば封筒体６０２の中へのパッケージのトレイ部（図示せず）の容易な挿入を可能にする。具体的には、前述の実施形態でより詳細に記載されたように、パッケージ（図示せず）は、トレイ部（図示せず）のリムが封筒体６０２内に収容され、トレイ部が窓６１６を通って延出するように、封筒体６０２に挿入され得る。運搬の目的で包装体６００を閉じるために、スリット６５０によって画定される線を横切ってラベル（図示せず）が配置される。ラベルを使用して、スリット６５０の外側の２つの分離した部分６５０ａ、６５０ｂをおさえ、パッケージを包装体６０２の中に保持する。当業者には理解されるように、スリット６をデバイス１００、２００、３００、４００、５００のいずれかと共に使用することができる。
【００２８】
第１のパネル６０６はまた、プルタブ６１２に隣接して設けられる第１の穿孔６２２及び第２の穿孔６２８を備えていてもよく、この第１の穿孔６２２は、窓６１６の第１の角部６２６から折り目６１１まで延び、第２の穿孔６２８は、窓６１６の第２の角部６３０から折り目６１１まで延びる。タブ６１２は、デバイス１００のプルタブ１１２と実質的に同様に形成される。具体的には、タブ６１２は、封筒体６０２の破断部１１４に沿って延びる切れ目６３４によって画定され得る。タブ６１２を封筒体６０２から離れる方向に持ち上げることができるように、切れ目６３４は、第１のパネル６０６から、折り目６１１を越えて、パネルのタブ６３２まで延びている。したがって、封筒体６０２は、封筒体６０２が第１の穿孔６２２及び第２の穿孔６２８に沿って裂けるように、タブ６１２をつかみ、タブ６１２を封筒体６０２から離れる方向に引っ張ることで、開封されることができる。第１のパネルのタブ６３２は、実質的に弓状の縁部６１０ｄを有し得る。
【００２９】
本発明による例示的な組立技術によると、第２のパネル６０７及び第３のパネル６０８は、重なり形態になるように第１のパネル６０６の上に折り畳まれ、縁部６１０ａ、６１０ｂ、６１０ｃは、互いに重なるように密封される。次に、第１のパネルのタブ６３２が、第１のパネル６０６に向かう方向に、内側に向けて、折り目６１１を中心に折り畳まれ、第２のパネル６０７と第３のパネル６０８との間に形成された空洞の寸法が増加するように、第１のパネル６０６を第２のパネル６０７及び第３のパネル６０８から離れる方向にたわませる。次に、第３のパネルのタブ６１８が折り目６１９を中心に折り畳まれて、第１のパネルのタブ６３２に重ねられる。第１のパネルのタブ６３２の外面上に設けられた接着剤ストリップ６４８は、第１のパネルのタブ６３２及び第３のパネルのタブ６２８の位置を互いに対して係止する一方で、封筒体を密封して閉じた形態にする。
【００３０】
封筒体６０２の内容物にアクセスするために、ユーザーは、プルタブ６１２を封筒体から離れる方向に引っ張って、第１の穿孔６２２及び第２の穿孔６２８を裂くことができる。あるいは、ユーザーは、第３のパネルのタブ６１８上に設けられている切り欠き部６２０をつかんで、第３のパネルのタブ６１８を、第１のパネルのタブ６３２から離れる方向に引っ張ってもよい。次に、第３のパネルのタブ６１８及び第１のパネルのタブ６３２を連続して開き、封筒体６０２の内容物にアクセスすることができる。
【００３１】
図１５は、上述のデバイス６００と実質的に同様に形成され、かつスリット６５０と実質的に同様に形成されたスリット７５０を備えている、デバイス７００を図示している。デバイス７００は、スリット６５０に対して実質的に垂直に延び、かつその長さに沿った複数の位置に配置された複数の穿孔７５２を更に備えている。当業者には理解されるように、穿孔７５２は、組立中にデバイス７００を糊付け機に取り付けるための把持点を提供する。４つの穿孔７５２が図示されているが、本発明の範囲から逸脱することなく、任意の数及び配置の穿孔を用いることができることに留意すべきである。
【００３２】
図１６は、本発明の別の実施形態によるデバイス８００を図示している。デバイス８００は、上述されたデバイス１００〜６００のいずれかと実質的に同様に形成され得る。しかしながら、デバイス８００のプルタブ８１２は、窓８１６の一部を越えて延在する凸状の突起部８１５を画定する第１及び第２の凹状切り欠き部８１３を備えている。切り欠き部８１３及び突起部８１５は、プルタブ８１２をめくるのを助けるために、プルタブ８１２の人間工学的把持を可能にするように構成される。具体的には、凹状切り欠き部８１３のそれぞれは、プルタブ８１２をつかむのを助けるために、ユーザーの指を受容するように構成及び寸法設定され得る。
【００３３】
本発明の趣旨及び範囲から逸脱することなく、本発明の構成及び方法に対して様々な修正及び変形を加えることができることは当業者には明らかであろう。したがって、本発明は、本発明のそのような修正及び変形が添付の特許請求の範囲の趣旨及びそれらの等価物の範囲内であるならば、そのような修正及び変形を網羅することが意図される。
【００３４】
〔実施の態様〕
（１）  医療用装置を収容するための封筒体であって、
第１の縁部に沿って相互に連結されて、パッケージ内に密封されている医療用装置を収容するように寸法設定及び成形された内部空間を画定する第１のパネル及び第２のパネルを含む本体と、
前記第１のパネルに沿って前記本体の周りに延びて、前記封筒体を開封するために前記本体の残りの部分から離脱可能な破断部を画定する穿孔を含む第１の開封構成と、
前記本体の一部から延出するタブを含む第２の開封構成であって、それにより、前記タブを前記本体から離れる方向に引っ張ることで、前記封筒体を開封する、第２の開封構成と、を備える、封筒体。
（２）  前記第１のパネルを貫通して延びる窓を更に備える、実施態様１に記載の封筒体。
（３）  前記窓が、該窓を横断して延在する透明フィルムによって覆われる、実施態様２に記載の封筒体。
（４）  前記窓が、前記封筒体内に収容されているパッケージのトレイ部を、前記窓を介して収容するように寸法設定及び成形される、実施態様３に記載の封筒体。
（５）  前記タブの一部が、前記窓の一部と重なる、実施態様３に記載の封筒体。
【００３５】
（６）  前記タブが、該タブをつかむのを助ける凹状溝を含む、実施態様５に記載の封筒体。
（７）  前記第１の開封構成が、前記第１及び第２のパネルにわたって延在する、実施態様１に記載の封筒体。
（８）  前記第１のパネルに沿って延びる前記穿孔の第１の部分が、前記窓から前記本体の前記第１の縁部まで延びる、実施態様２に記載の封筒体。
（９）  前記タブが、前記タブが前記第１のパネルに連結されるように、前記第１及び第２のパネルに沿ってかつ前記縁部の一部を越えて延びる切れ目によって画定され、前記タブを引っ張ることで、前記第１のパネルに沿って延びる前記穿孔の一部を裂いて、前記封筒体を開封する、実施態様１に記載の封筒体。
（１０）  前記タブを引っ張ることで前記封筒体にきれいな開口部を形成するように、前記穿孔から前記縁部の一部に沿って延びるスリットを更に備える、実施態様１に記載の封筒体。
【００３６】
（１１）  前記本体が矩形である、実施態様１に記載の封筒体。
（１２）  前記第１のパネル又は前記第２のパネルの一方に沿って前記本体内の中心に延び、押しつぶすことによって破断可能な部分を画定する穿孔を含む第３の開封構成を更に備える、実施態様１に記載の封筒体。
（１３）  前記第３の開封構成の前記穿孔にわたって前記本体を閉じるように配設可能なラベルを更に備える、実施態様１２に記載の封筒体。
（１４）  前記穿孔が、前記本体内に延びる単一の細長いスリットとして形成される、実施態様１２に記載の封筒体。
（１５）  前記細長いスリットが、前記本体を貫通して延び、かつ前記細長いスリットと交差する複数の穿孔を含む、実施態様１４に記載の封筒体。
【００３７】
（１６）  前記本体が、第２の縁部に沿って前記第１のパネルに連結されて、前記パッケージ内に密封されている前記医療用装置を収容するように寸法設定及び成形された前記内部空間を画定する第３のパネルを含む、実施態様８に記載の封筒体。
（１７）  前記第１のパネルに沿って延びる前記穿孔の第２の部分が、前記窓から前記本体の前記第２の縁部まで延びる、実施態様１６に記載の封筒体。
（１８）  前記タブが、前記第１のパネルから延出し、かつ前記第３のパネルに取り付けられる、実施態様１６に記載の封筒体。
（１９）  前記タブが、前記第１のパネルに連結される第１のタブ部分と、前記第２のパネルに連結される第２のタブ部分とを含み、前記第１及び第２のタブ部分が、実質的に弓状の形状を有し、かつ互いに折り重なるように折り畳まれて、前記第２及び第３のパネルから前記第１のパネルを遠ざける、実施態様１８に記載の封筒体。
（２０）  医療用装置用の包装体システムであって、
前記医療用装置が使用の準備ができるまで無菌状態で維持されるように、前記医療用装置を収容する密封パッケージと、
縁部に沿って相互に連結されて、内部に前記密封パッケージを収容するように寸法設定及び成形された内部空間を画定する第１及び第２のパネルを備える封筒体であって、第１の開封構成と第２の開封構成とを備え、前記第１の開封構成は、前記第１及び第２のパネルに沿って前記封筒体の周りに延びて、前記封筒体を開封するために前記封筒体の残りの部分から離脱可能な破断部を画定する穿孔を含み、前記第２の開封構成はそれに沿って延びるタブを含み、それによって、前記タブを前記封筒体から離れる方向に引っ張ることによって、前記第１のパネルに沿って延びる前記穿孔の一部を裂いて、前記封筒体を開封する、封筒体と、を備える、包装体システム。
【００３８】
（２１）  前記封筒体が、前記第１のパネルを貫通して延びる窓を備える、実施態様２０に記載のシステム。
（２２）  前記窓が、該窓を横断して延在する透明フィルムによって覆われる、実施態様２１に記載のシステム。
（２３）  前記パッケージが、実質的に平らなパウチである、実施態様２２に記載のシステム。
（２４）  前記パッケージが、トレイ部と、該トレイ部の周囲に延在するリム部とを含み、したがって、前記リムは前記封筒体の前記内部空間内に収容される一方で、前記トレイ部は、前記内部空間から、前記窓を通って、前記封筒体の外側まで延出する、実施態様２１に記載のシステム。
（２５）  前記第１のパネルに沿って延びる前記穿孔の一部が、前記窓から前記本体の前記縁部まで延びる、実施態様２１に記載のシステム。
【００３９】
（２６）  前記タブが、前記タブが前記第１のパネルに連結されるように、前記第１及び第２のパネルに沿ってかつ前記縁部の一部を越えて延びる切れ目によって画定される、実施態様２０に記載のシステム。
（２７）  前記タブを引っ張ることで前記封筒体にきれいな開口部を形成するように、前記封筒体が、前記穿孔から前記縁部の一部に沿って延びるスリットを備える、実施態様２０に記載のシステム。
（２８）  前記封筒体が矩形である、実施態様２０に記載のシステム。
（２９）  前記封筒体が、前記第１のパネル又は前記第２のパネルの一方に沿って前記本体内の中心に延び、押しつぶすことによって破断可能な部分を画定する穿孔を含む第３の開封構成を更に備える、実施態様２０に記載のシステム。
（３０）  前記第３の開封構成の前記穿孔にわたって前記封筒体を閉じるように配設可能なラベルを更に備える、実施態様２９に記載のシステム。
【００４０】
（３１）  医療用装置を収容するための封筒体であって、
縁部に沿って相互に連結されて、パッケージ内に密封されている医療用装置を収容するように寸法設定及び成形された内部空間を画定する第１のパネル及び第２のパネルを含む本体と、
前記第１のパネル又は前記第２のパネルの一方に沿って前記本体内の中心に延び、押しつぶすことによって破断可能な部分を画定する穿孔を含む開封構成と、を備える、封筒体。
（３２）  前記穿孔にわたって前記本体を閉じるように配設可能なラベルを更に備える、実施態様３１に記載の封筒体。
（３３）  医療用装置を収容するための封筒体であって、
第１及び第２の縁部に沿って相互に連結されて、パッケージ内に密封されている医療用装置を収容するように寸法設定及び成形された内部空間を画定する第１のパネル、第２のパネル、及び第３のパネルを含む本体と、
前記第１のパネルに沿って前記本体の周りに延びて、前記封筒体を開封するために前記本体の残りの部分から離脱可能な破断部を画定する穿孔を含む第１の開封構成と、
前記第１のパネルから延出し、かつ前記第３のパネルの一部に取り付けられた第１のタブを含む第２の開封構成であって、それにより、前記第１のタブを前記本体から離れる方向に引っ張ることで、前記第３のパネルから前記第１のパネルを分離して、前記封筒体を開封する、第２の開封構成と、を備える、封筒体。
（３４）  前記第１のパネルに沿って前記本体内の中心に延びて、細長いスリットの外側に前記第１のパネルの第１及び第２の湾曲可能部分を画定する細長いスリットを含む第３の開封構成を更に備える、実施態様３３に記載の封筒体。
（３５）  前記第３の開封構成の前記細長いスリットにわたって前記本体を閉じるように配設可能なラベルを更に備える、実施態様３４に記載の封筒体。
【００４１】
（３６）  前記細長いスリットが、前記本体を貫通して延び、かつ前記細長いスリットとある角度で交差する複数の穿孔を有する、実施態様３４に記載の封筒体。
（３７）  前記第１のタブが、前記第３のパネル上に設けられた第２のタブと係合し、前記第１及び第３のタブは、前記第１、第２、及び第３のパネルを収容している面に対して実質的に垂直に延びる面内にあるように折り畳み可能である、実施態様３３に記載の封筒体。
（３８）  前記第１及び第２のタブを折り畳むことで、前記内部空間の幅を増加させる、実施態様３７に記載の封筒体。
（３９）  前記第１のタブが、接着剤によって前記第２のタブに固定される、実施態様３７に記載の封筒体。
（４０）  前記第１のタブが、実質的に弓状の形状を有する、実施態様３７に記載の封筒体。
【００４２】
（４１）  前記第１のパネルを貫通して延びる窓を更に備える、実施態様３３に記載の封筒体。
（４２）  前記破断部に連結されたプルタブを更に備え、前記プルタブの一部が前記窓の一部と重なる、実施態様４１に記載の封筒体。
（４３）  前記プルタブが、該プルタブをつかむのに役立つように寸法設定された凹状溝を含む、実施態様４２に記載の封筒体。
【図１】
2014529548.tif 000003
【図２】
2014529548.tif 000004
【図３】
2014529548.tif 000005
【図４】
2014529548.tif 000006
【図５】
2014529548.tif 000007
【図６】
2014529548.tif 000008
【図７】
2014529548.tif 000009
【図８】
2014529548.tif 000010
【図９】
2014529548.tif 000011
【図１０】
2014529548.tif 000012
【図１１】
2014529548.tif 000013
【図１２】
2014529548.tif 000014
【図１３】
2014529548.tif 000015
【図１４】
2014529548.tif 000016
【図１５】
2014529548.tif 000017
【図１６】
2014529548.tif 000018
【国際調査報告】
2014529548.tif 000019
2014529548.tif 000020
2014529548.tif 000021
2014529548.tif 000022
2014529548.tif 000023
2014529548.tif 000024